(57)【要約】【課題】インタビューに不慣れな質問者であっても、回答者から質の良いデータを引き出すことができる質問文候補提示装置及びプログラムを提供することを目的とする。【解決手段】回答データと、この回答データの話題分野と、回答分量とに応じて、回答者が持っている興味・関心の度合いを示す指標である話題分野の興味得点を算出し、回答者による回答データに関する各話題分野の興味得点に基づいて、優先的に質問する質問項目を選定し、この選定した質問項目の候補を、質問者に提示する。【選択図】図１
2011002872.tif 000002
【特許請求の範囲】
【請求項１】
会話生データを、質問データ、回答データに変換する会話解釈手段と；
インタビューで回答者に質問すべき質問項目のＩＤと、質問項目と、各質問項目に対応する話題分野とを記憶している質問項目記憶手段と；
上記質問項目記憶手段に記憶されている質問項目、話題分野を参照し、上記会話解釈手段が解釈した質問データと質問項目とを照合し、回答データと話題分野とを照合する質問・回答照合手段と；
上記質問・回答照合手段が照合した回答データと、この回答データの話題分野と、興味得点とに応じて、回答者が持っている興味・関心の度合いを示す指標である話題分野の興味得点を算出する興味得点算出手段と；
上記質問・回答照合手段が出力した質問項目のＩＤと、上記興味得点算出手段が出力した各話題分野の興味得点とを、逐次記憶する履歴記憶手段と；
回答者による回答データに関する各話題分野の興味得点に基づいて、優先的に質問する話題分野候補を選定する質問文候補選定手段と；
上記質問文候補選定手段が選定した質問項目の候補を、質問者に提示する出力手段８０と；
を有することを特徴とする質問文候補提示装置。
【請求項２】
請求項１において、
上記興味得点算出手段は、質問データの話題分野と、この質問データに対応する回答データの話題分野とを比較し、質問データの話題分野ではないが、質問データに対応する回答データの話題分野である話題分野の興味得点を、他の場合よりも高くする手段であることを特徴とする質問文候補提示装置。
【請求項３】
請求項１において、
質問項目記憶手段は、質問項目候補を予め階層化して記憶する手段であり、
上記興味得点算出手段は、回答データが属する上位層の話題分野についての興味得点を、他の場合よりも高くする手段であることを特徴とする質問文候補提示装置。
【請求項４】
請求項１〜請求項３のいずれか１項記載の質問文候補提示装置を構成する各手段としてコンピュータを機能させるプログラム。
【発明の詳細な説明】
【技術分野】
【０００１】
本発明は、質問文候補提示装置に関する。
【背景技術】
【０００２】
社会学・看護学を始めとする多くの研究分野で、面接調査を用い、調査対象者の抱える問題を抽出する手法が採用されている。
【０００３】
面接調査の方法には、様々な手法があり、特に近年、「半構造化面接」と呼ばれる手法が、社会学・看護学に加え、工学の研究分野でも行われている。この「半構造化面接」は、大まかな質問項目のみを予め定め、インタビュー回答者（以下、「回答者」という）との会話の流れに応じて、質問順序や質問の深さを柔軟に変える手法である。
【０００４】
たとえば、コンテキストインタビューという手法によって、具体例を聞き出したり、小道具を使う等の方法によって、効果的なインタビューを行う方法が提案されている（たとえば、非特許文献１参照）。
【先行技術文献】
【非特許文献】
【０００５】
【非特許文献１】樽本徹也著「ユーザビリティエンジニアリング」オーム社版、pp.37-47
【発明の概要】
【発明が解決しようとする課題】
【０００６】
回答者との会話の流れに応じて、質問順序や質問の深さを柔軟に変える面接手法は、回答者の本音を聞き出せる効果的な手法ではあるが、質問者（インタビューを行う者）が話の流れに応じて柔軟に質問を選択する必要があり、非常に高度なインタビュー技術が、質問者に求められる。
【０００７】
特に、質的研究を目的とするインタビューでは、質問者が予め用意した質問項目を必ずしも全て質問する必要はない。インタビューのやりとりの中から、質問者は、回答者の興味・関心が強く、回答者が回答しやすい部分を鋭敏に察知し、回答者の興味・関心が強く、回答者が回答しやすい項目に焦点を絞って、深い質問を行うことによって、質の良いデータを収集することができる。
【０００８】
上記「質の良いデータ」は、今まで明らかではなかった新たな発見を可能とするデータであり、たとえば、体験談のバリエーションが豊富であるデータ、より具体的な事例に基づくデータ、体験談についての詳細な説明・考えが含まれているデータである。
【０００９】
一方、インタビュー回答者は、質問者の質問に対して、適切な回答をするとは限らない。しかし、インタビューに不慣れな質問者は、「全ての項目を漏れなく質問すること」に気をとられ、質問内容と回答内容との不一致に気付かずに、質問を先に進めることがあるという問題がある。
【００１０】
さらに、インタビューに不慣れな質問者は、回答者の興味・関心に沿わない質問に時間をかけ、結果として、質の良いデータ（回答）を得ることができないという問題がある。
【００１１】
つまり、上記従来例では、インタビューに不慣れな質問者は、回答者から質の良いデータを引き出すことができないという問題がある。
【００１２】
本発明は、インタビューに不慣れな質問者であっても、回答者から質の良いデータを引き出すことができる質問文候補提示装置を提供することを目的とする。
【課題を解決するための手段】
【００１３】
本発明は、回答者の関心が高い話題を推定し、質問候補を提示する。回答の話題がずれたことを判定し、ずれた話題について、回答者の興味度合いが増えたと判断し、ずれた話題を、質問候補として優先する。また、話題を階層構造し、上位の話題が興味範囲であると推定する。
【発明の効果】
【００１４】
本発明によれば、インタビューに不慣れな質問者であっても、回答者から質の良いデータを引き出すことができるという効果を奏する。
【図面の簡単な説明】
【００１５】
【図１】本発明の実施例１である質問文候補提示装置１００を示す図である。
【図２】実施例１において、質問項目記憶手段３０に記憶されている質問項目のＩＤ、質問項目、話題分野の例を示す図である。
【図３】実施例１の動作を示すフローチャートである。
【図４】実施例２において、履歴記憶手段６０に記憶されている質問データ・話題分野・回答データと、それに対応する話題分野の例を示す図であり、対応する話題分野の興味得点の例を示す図である。
【図５】実施例３において、質問項目記憶手段３０に記憶されている記憶内容例を示す図である。
【図６】実施例３において、履歴記憶手段６０に保存されている興味得点の例を示す図である。
【発明を実施するための形態】
【００１６】
発明を実施するための形態は、以下の実施例である。
【実施例１】
【００１７】
図１は、本発明の実施例１である質問文候補提示装置１００を示す図である。
【００１８】
質問文候補提示装置１００は、入力手段１０と、会話解釈手段２０と、質問・回答照合手段４０と、質問項目記憶手段３０と、興味得点算出手段５０と、履歴記憶手段６０と、質問文候補選定手段７０と、出力手段８０とを有する。
【００１９】
入力手段１０は、会話生データ（音声データ、またはテキストデータ）を入力する。
【００２０】
会話解釈手段２０は、入力手段１０が出力した会話生データと入力時刻とを、解釈可能な形式に変換する。
【００２１】
質問項目記憶手段３０は、インタビューで回答者に質問すべき質問項目のＩＤと、質問項目と、各質問に対応する話題分野とを記憶している。
【００２２】
質問・回答照合手段４０は、会話解釈手段２０が解釈した質問データ、回答データ、各データが入力された時刻を受け取り、質問項目記憶手段３０に記憶されている質問項目、話題分野を参照し、質問データと質問項目とを照合し、回答データと話題分野とを照合する。
【００２３】
興味得点算出手段５０は、回答データとその話題分野とを入力し、興味得点に応じて、回答者が持っている興味・関心の度合いを示す指標である話題分野の興味得点を算出し、出力する。
【００２４】
履歴記憶手段６０は、質問・回答照合手段４０が出力した質問項目のＩＤと、興味得点算出手段５０が出力した各話題分野の興味得点とを、逐次記憶し、質問文候補選定手段７０へ出力する。
【００２５】
質問文候補選定手段７０は、履歴記憶手段６０に記憶されている質問項目のＩＤと、話題分野と、話題分野に対応する興味得点とを入力し、質問文候補に優先順位を付けて、出力手段８０へ出力する手段であり、質問文候補を選定する手段である。つまり、質問文候補選定手段７０は、各話題分野の得点に応じて、優先的に質問する話題分野候補を選定する。
【００２６】
出力手段８０は、質問項目の候補を、質問者に提示する。
【００２７】
次に、上記構成要素の機能について、詳細に説明する。
【００２８】
入力手段１０は、会話生データ（音声データ、またはテキストデータ）を入力し、この入力された会話生データと、入力された入力時刻とを、会話解釈手段２０へ出力する。
【００２９】
会話解釈手段２０は、入力手段１０が出力した会話生データと入力時刻とを、解釈可能な形式に変換し、記憶装置に記憶する。具体的には、たとえば入力手段１０が出力した会話生データが音声データであれば、音声認識を行い、話者（質問者または回答者）を判別し、また、会話の区切りを判定する。話者が質問者であるか回答者であるかを判別する場合、たとえば、質問者、回答者のそれぞれの声の特徴を予め記憶装置に記憶し、話者の音声データを音声認識し、この音声認識の結果を、上記記憶装置に記憶されている質問者、回答者の声の特徴とを比較することによって、話者が質問者であるか回答者であるかを判別する。
【００３０】
なお、区切られた会話データの話者が質問者である場合、その会話データを「質問データ」と呼ぶ。また、区切られた会話データの話者が回答者である場合、その会話データを「回答データ」と呼ぶ。会話解釈手段２０は、質問データ、回答データ、各データが入力された時刻を、質問・回答照合手段４０に出力する。
【００３１】
質問項目記憶手段３０は、インタビューで質問すべき質問項目のＩＤと、質問項目と、各質問に対応する話題分野（質問カテゴリ）とを記憶している。
【００３２】
質問項目は、質問者がインタビュー中に行う予定の質問項目の内容である。質問項目は、質問者が質問時に参照できる形式であれば足り、質問項目が、文章や図・絵として登録されていてもよく、質問内容を想起できるようなキーワードが複数羅列している形式であってもよい。話題分野は、質問の内容が含まれている話題が属する分野である。質問項目が、複数の話題分野に跨る場合、１つの質問項目について、複数の話題分野が記憶されていてもよい。また、話題分野の登録形式は、キーワードであっても、文章形式であっても、図や絵であってもよい。
【００３３】
図２は、実施例１において、質問項目記憶手段３０に記憶されている質問項目のＩＤ、質問項目、話題分野の例を示す図である。
【００３４】
質問項目、話題分野を登録する場合、インタビュー前に、質問者が予め登録することが考えられるが、質問者が登録者である必要はない。たとえば、質問項目を質問者が登録した後に、システム側で各質問項目の類似度に応じて、質問項目をグルーピングし、各グループ内に含まれている質問項目に共通するキーワード等を、話題分野を示すタグとして使用して、タグ付けする方法等が考えられる。
【００３５】
質問・回答照合手段４０は、会話解釈手段２０が出力した質問データ、回答データ、各データが入力された時刻を受け取り、質問項目記憶手段３０に記憶されている質問項目、話題分野を参照し、質問データと質問項目とを照合し、回答データと話題分野とを照合し、照合結果を記憶装置に記憶する。つまり、回答データと話題分野とを照合することによって、当該回答データがどの話題分野に属するかを判定する。
【００３６】
質問項目と質問データとを照合することによって、インタビュー中の会話データの中で、質問者がどの質問を行ったのかを判別する。たとえば、質問項目記憶手段３０に記憶されている全ての質問項目と質問データとのそれぞれの文章について形態素解析を実行し、質問項目と質問データとの類似度を計算し、計算された類似度のうちで、類似度が最も高い質問項目が、質問データに対応する質問項目であると判定することが考えられる。また、質問データと質問項目との照合を、自動で行う必要はなく、たとえば、質問者がインタビュー中に、自分が質問した内容を、ＧＵＩ上で選択するようにしてもよい。
【００３７】
回答データと話題分野とを照合することによって、回答データがどの話題分野に属するかを判別する。回答データと話題分野とを照合する場合、回答データの中に、話題分野のキーワード（またはその言い換え）が含まれている個数に応じて、回答データに対応する話題分野を特定するようにしてもよい。
【００３８】
質問・回答照合手段４０は、照合された質問データのＩＤを、履歴記憶手段６０に、逐次出力する。また、質問・回答照合手段４０は、回答データと、話題分野と、回答データに対応する会話の時間とを、興味得点算出手段５０に出力する。
【００３９】
興味得点算出手段５０は、回答データとその話題分野とを入力し、話題分野の興味得点を算出し、記憶装置に記憶する。上記「興味得点」は、各話題分野について、回答者がどれだけ興味・関心を持っているかを示す指標である。回答データの属する話題分野について、回答者が発言した回数や文章量に基づいて、興味得点を算出する。
【００４０】
具体的には、質問・回答照合手段４０が出力した回答データの文字数または単語数が、その回答データの属する話題分野の興味得点であると考える。話題分野の興味得点を算出する場合、回答データの発言で費やした時間に応じて、話題分野の興味得点を算出するようにしてもよい。
【００４１】
また、人間は、得意分野や興味関心の高い分野について発言する場合、声が大きくなり、声のトーンが上がる傾向にあるので、回答した際の声の大きさや、声の高さに基づいて、話題分野の興味得点を算出するようにしてもよい。たとえば、一定の閾値以上の大きさの声を発すれば、興味得点を加算するようにしてもよい。興味得点算出手段５０は、入力された話題分野についての得点を、逐次、履歴記憶手段６０に出力する。
【００４２】
履歴記憶手段６０は、質問・回答照合手段４０が出力した質問項目のＩＤと、興味得点算出手段５０が出力した各話題分野の興味得点とを、逐次記憶し、質問文候補選定手段７０へ出力する。なお、上記質問項目のＩＤは、質問者が質問した質問項目のＩＤである。
【００４３】
質問文候補選定手段７０は、履歴記憶手段６０に記憶されている質問項目のＩＤと、話題分野と、その話題分野に対応する興味得点とを入力し、質問文候補に優先順位を付けて、記憶手段に記憶し、出力手段８０へ出力する。
【００４４】
各話題分野について、複数の質問項目が存在するので、対応する回答データも複数存在する。そして、１つの回答データに１つまたは複数の話題分野が対応し、回答の仕方によっては、同じ話題分野でも、興味得点が異なり、１つの質問データについて、回答データが１つまたは複数存在する場合がある。したがって、質問文候補選定手段７０は、各話題分野のそれぞれについて、履歴記憶手段６０に記憶されている１種類の話題分野についての複数の興味得点の和を求めることによって、各話題分野の得点を算出する。
【００４５】
その後に、質問文候補選定手段７０は、各話題分野の得点に応じて、優先的に質問する話題分野の候補を選定する。話題分野を選定する場合、インタビューの初期（回答データがあまり揃っていないとき、または用意していた質問データを一通り回答者に質問したとき）に、回答データに対応する話題分野が１つもない話題分野（質問しても回答者が回答しない質問データに対応する話題分野、または、質問し忘れた質問データに対応する話題分野）があれば、この話題分野を、質問文候補として選定するようにしてもよい。予め入力した全ての話題分野（用意していた質問データに対応する話題分野の全て）についての回答データが一通り揃った後には、興味得点の一番高い話題分野を選定することによって、回答者の興味が高い分野について質問し、これによって、深く集中的に質問することができる。
【００４６】
話題分野を選定した後に、選定した話題分野の質問項目の中から、まだ質問を行っていない質問項目を選定し、出力手段８０に出力する。
【００４７】
出力手段８０に出力する質問項目は、１つであってもよく、複数の質問項目候補を同時に出力するようにしてもよい。複数の質問項目候補を提示する場合、１つの話題分野に特化せずに、優先順位の高い複数の話題分野について、それぞれ質問項目を提示するようにしてもよい。
【００４８】
出力手段８０は、質問項目の候補を、質問者に提示する。提示手段は、音声・画像・テキスト等、その形態は問わない。
【００４９】
次に、実施例１の実際の動作について説明する。
【００５０】
図３は、実施例１の動作を示すフローチャートである。
【００５１】
まず、Ｓ１で、入力を待ち、Ｓ２で、入力手段１０が会話データを入力すると、Ｓ３で、会話解釈手段２０が、会話データを、「質問データ」、「回答データ」に変換し、質問・回答照合手段４０に出力する。そして、Ｓ４で、質問・回答照合手段４０が、質問データについて、質問項目記憶手段３０内の質問文と照合し、ＩＤを付与し、回答データに、話題分野を付与する。
【００５２】
Ｓ５で、質問・回答照合手段４０は、照合された質問データのＩＤを、履歴記憶手段６０に出力し、興味得点算出手段５０に、話題分野と回答データとを出力する。Ｓ６で、興味得点算出手段５０が、話題分野と回答データとに基づいて、興味得点を算出し、履歴記憶手段６０に出力する。Ｓ７で、質問文候補選定手段７０は、履歴記憶手段６０に記憶されている興味得点の一覧に基づいて、質問文候補に優先順位を付け、出力手段８０へ出力する。そして、Ｓ８で、出力手段８０が質問候補リストを出力する。
【００５３】
つまり、回答者は、自分の得意分野や、興味・関心の高い分野の話題については、多くの体験談や詳細な説明、意見を述べる傾向にある。そこで、実施例１では、インタビュー中の回答者の各話題の興味得点に応じて、回答者の興味・関心の高い話題を推定し（ランク付けし）、回答者が回答しやすい質問項目候補を、優先的に質問者に提示する。これによって、インタビューに不慣れな質問者であっても、回答者から、質の良い有用なデータ（回答）を引き出すことができる。
【実施例２】
【００５４】
本発明の実施例２は、各質問について、質問と回答とが、同じ話題分野に属しているかどうかを判定し、質問とは異なる話題分野について回答があった場合、質問とは異なる話題分野についての興味が高いと判定するスコアリング方法を用いる実施例である。
【００５５】
実施例２である質問文候補提示装置の構成は、基本的には、図１に示す質問文候補提示装置１００と同じであるので、以下の実施例２の説明では、図１に示す質問文候補提示装置１００を構成する各手段の符号を使用する。
【００５６】
なお、以下では、実施例２と実施例１との差分についてのみ説明する。
【００５７】
質問・回答照合手段４０は、興味得点算出手段５０へ、質問項目と、それに対応する話題分野と、回答データと、それに対応する話題分野とをセットにして出力する。興味得点算出手段５０は、質問項目の属する話題分野と、回答データの属する話題分野とが異なる場合、回答データの属する話題分野の得点を、通常（質問データに対応する話題分野と回答データに対応する話題分野とが一致した場合における興味得点）よりも高く設定し、質問項目の属する話題分野の得点を、低く設定する。つまり、質問した話題分野とは異なる話題分野について回答した場合、回答者の心理として次のことが考えられる。つまり、回答者にとって、質問された話題分野にはそれ程、興味、必要性、重要性が無く、それよりも他の話題分野に、関心、必要性、重要性を認め、この関心がある話題分野について、話したいという欲望があり、この欲望に沿って応答した結果、質問した話題分野とは異なる話題分野について回答したと、考えられる。
【００５８】
図４（ａ）は、履歴記憶手段６０に記憶されている質問データ、話題分野、回答データと、回答データに対応する話題分野の例を示す図であり、図４（ｂ）は、回答データに対応する話題分野の興味得点の例を示す図である。
【００５９】
実施例２では、質問データの属する話題分野と回答データの話題分野とが同じである場合には、その話題分野について、興味得点として１０点を加点する。質問データの属する話題分野であって、回答データの話題分野ではない話題分野について、その話題分野が無視されたと考え、興味得点として１０点を減点する。一方、質問データの属する話題分野ではないが、回答データの話題分野である話題分野について、その話題分野に回答者が大きな興味を持っていると考え、興味得点として２０点を加点する。
【００６０】
つまり、質問データ（１）の属する話題分野が「インターネット」であり、対応する回答データ（２）〜（４）の話題分野も「インターネット」であり、話題分野が同じであるので、図４（ｂ）に示す興味得点が、それぞれ１０点ずつ加算される。話題分野が「テレビ」である質問データ（５）に対して、回答データ（６）も、話題分野が「テレビ」であり、話題が同じであるので、興味得点は１０点である。
【００６１】
一方、回答データ（７）については、質問項目の話題分野が「テレビ」であるのに、回答データの話題分野は「インターネット」であるので、話題分野が異なり、話題分野「インターネット」が始めて登場した。したがって、回答データの属する話題分野「インターネット」の興味得点は、通常よりも高い２０点を付与し、逆に、質問項目における話題分野「テレビ」については、回答データに「テレビ」が含まれていないので、興味得点を１０点減じる。
【００６２】
また、回答データ（８）は、２つの話題分野「インターネット」、「テレビ」に属する。話題分野「テレビ」は、質問データが属している話題分野であるので、話題分野「テレビ」の興味得点は、１０点であり、話題分野「インターネット」は、質問データが属する話題分野には存在していないので、興味得点として、通常よりも高い２０点が付与されている。
【００６３】
上記のように、質問者が質問していないのに、ユーザが自ら話し始めた話題分野の点数を高く設定することによって、回答者が興味・関心の高い話題を、精度良く抽出することができる。
【実施例３】
【００６４】
本発明の実施例３は、質問項目候補を予め階層化し、回答データが属する上位層の話題にも関心が高いと判定するスコアリング方法を用いる実施例である。
【００６５】
実施例３である質問文候補提示装置の構成は、基本的には、図１に示す質問文候補提示装置１００と同じであるので、以下の実施例３の説明では、図１に示す質問文候補提示装置１００を構成する各手段の符号を使用する。
【００６６】
なお、以下では、実施例３と実施例１との差分についてのみ説明する。
【００６７】
図５は、実施例３において、質問項目記憶手段３０に記憶されている記憶内容例を示す図である。
【００６８】
質問項目記憶手段３０に記憶されている質問項目は、たとえば図５に示すように、内容や分野毎にカテゴライズされ、階層化されている。
【００６９】
図５に示す質問項目は、右に行くほど「深い」質問になり、上下方向は、話題を広げる方向の質問である。ＩＤ＝１の質問項目を詳細化した質問（深い質問）が、ＩＤ＝１−１，１−２，１−３，１−４の質問であり、ＩＤ＝１−１を深める質問が、ＩＤ＝１−１−１，１−１−２の質問である。
【００７０】
図５に示す例では、各質問項目そのものが、実施例１で説明した話題分野であるが、それぞれの質問項目に対して、話題分野を指定するようにしてもよい。つまり、図５における「質問文」の右に、話題分野をそれぞれ記入するようにしてもよい。
【００７１】
ある回答がされた場合、興味得点算出手段５３で、その回答データが属する上位層の話題にも関心が高いと判定し、興味得点を加算する。たとえば、仮に、ＩＤ＝１−１−１の質問の興味得点が１０点であった場合、ＩＤ＝１−１−１の質問だけでなく、ＩＤ＝１−１、ＩＤ＝１の質問のそれぞれが属する話題分野にも、１０点を加算する。
【００７２】
また、次の質問候補を選択する際、話題分野を選定する際、質問文候補選定手段７０は、同階層の質問文間で興味得点を比較し、興味得点の多い順に、質問文候補としての優先順位を決定する。質問文候補選定手段７０における質問候補の選択方法は、複数考えられ、質問文が階層化されているので、たとえば「上位階層から順に見て、興味得点が０点である質問文が１つでもあれば（質問していない質問文、または質問したが回答を得ていない質問文があれば）、興味得点が０点である質問文を第一優先で質問する質問文候補とし、０点のものが無い場合、最も高い興味得点の質問文を第一優先で質問する質問文候補とする」等の基準を作ることが可能となる。
【００７３】
図６は、実施例３において、履歴記憶手段６０に保存されている興味得点の例を示す図である。
【００７４】
質問文候補選定手段７０は、ＩＤ＝１の質問とＩＤ＝２の質問とは、同じ階層に存在している質問であるので、まず、ここの興味得点を比較し、ＩＤ＝１の質問の興味得点が１３００であり、ＩＤ＝２の質問の興味得点が２０であるので、興味得点が高いＩＤ＝１の質問を選択する。次に、ＩＤ＝１−１，１−２，１−３，１−４の質問を互いに比較し、ＩＤ＝１‐１の質問の興味得点が３００であり、ＩＤ＝１‐２の質問の興味得点が７００であり、ＩＤ＝１‐３の質問の興味得点が２００であり、ＩＤ＝１‐４の質問の興味得点が２００であるので、興味得点の最も高いＩＤ＝１−２の質問を選択する。
【００７５】
これによって、多岐の話題に渡った複数の質問を行う場合であっても、回答者の興味・関心の高い話題を、精度良く抽出することができる。
【００７６】
実施例３では、上記のように、質問項目候補を予め階層化し、回答データが属する上位層の話題にも関心が高いと判定するスコアリング方法を用いる。これによって、多岐の話題に渡った複数の質問を行う場合であっても、回答者の興味・関心の高い話題を、精度良く抽出することができる。
【００７７】
上記実施例において、会話解釈手段２０は、会話生データを、質問データ、回答データに変換する会話解釈手段の例である。
【００７８】
質問項目記憶手段３０は、インタビューで回答者に質問すべき質問項目のＩＤと、質問項目と、各質問項目に対応する話題分野とを記憶している質問項目記憶手段の例である。
【００７９】
質問・回答照合手段４０は、上記質問項目記憶手段に記憶されている質問項目、話題分野を参照し、上記会話解釈手段が解釈した質問データと質問項目とを照合し、回答データと話題分野とを照合する質問・回答照合手段の例である。
【００８０】
興味得点算出手段５０は、上記質問・回答照合手段が照合した回答データと、この回答データの話題分野と、興味得点とに応じて、回答者が持っている興味・関心の度合いを示す指標である話題分野の興味得点を算出する興味得点算出手段の例である。
【００８１】
履歴記憶手段６０は、上記質問・回答照合手段が出力した質問項目のＩＤと、上記興味得点算出手段が出力した各話題分野の興味得点とを、逐次記憶する履歴記憶手段の例である。
【００８２】
質問文候補選定手段７０は、回答者による回答データに関する各話題分野の興味得点に基づいて、優先的に質問する話題分野候補を選定する質問文候補選定手段の例である。
【００８３】
出力手段８０は、上記質問文候補選定手段が選定した質問項目の候補を、質問者に提示する出力手段の例である。
【００８４】
なお、上記興味得点算出手段は、質問データの話題分野と、この質問データに対応する回答データの話題分野とを比較し、質問データの話題分野ではないが、質問データに対応する回答データの話題分野である話題分野の興味得点を、他の場合よりも高くする手段である。
【００８５】
また、質問項目記憶手段は、質問項目候補を予め階層化して記憶する手段であり、上記興味得点算出手段は、回答データが属する上位層の話題分野についての興味得点を、他の場合よりも高くする手段である。
【００８６】
さらに、上記実施例をプログラムの発明として把握することができる。つまり、上記実施例は、上記各質問文候補提示装置を構成する各手段としてコンピュータを機能させるプログラムの例である。具体的には、上記実施例は、請求項１〜請求項３のいずれか１項記載の質問文候補提示装置を構成する各手段としてコンピュータを機能させるプログラムの例である。
【符号の説明】
【００８７】
１００…質問文候補提示装置、
１０…入力手段、
２０…会話解釈手段、
３０…質問項目記憶手段、
４０…質問・回答照合手段、
５０…興味得点算出手段、
６０…履歴記憶手段、
７０…質問文候補選定手段、
８０…出力手段。
【図１】
2011002872.tif 000003
【図２】
2011002872.tif 000004
【図３】
2011002872.tif 000005
【図４】
2011002872.tif 000006
【図５】
2011002872.tif 000007
【図６】
2011002872.tif 000008